(57)【要約】【課題】各ドアの開ドア性を悪化させることなく、バリアフリー性と、各ドアの下部における止水性との両立を図る。【解決手段】ドア枠２の下枠２ｂの上面に、その長手方向に沿って凹部１３を設け、凹部１３の先開きドア３側の部分１３ａに、先開きドア３の開閉に連動して回動され、先開きドア３が開かれたとき凹部１３に収容されると共に先開きドア３が閉じられたとき凹部１３から突出して先開きドア３の下部に当接する先開きドア用封止部材２０を設け、凹部１３の後開きドア３０側の部分１３ｂに、後開きドア３０の開閉に連動して回動され、後開きドア３０が開かれたとき凹部１３に収容されると共に後開きドア３０が閉じられたとき凹部１３から突出して後開きドア３０の下部に当接する後開きドア用封止部材２１を、先開きドア用封止部材２０と隙間Ｇを隔てて設け、後開きドア用封止部材２１の上面に、隙間Ｇを超えて先開きドア用封止部材２０の上面まで延出されたカバー４１を取り付けた。【選択図】図１１
2007162429.tif 000002
【特許請求の範囲】
【請求項１】
上枠、下枠及び左右の縦枠から成るドア枠と、一方の縦枠に開閉可能に取り付けられた先開きドアと、他方の縦枠に開閉可能に取り付けられた後開きドアとを備えた両開きドア装置であって、
上記下枠の上面に、その長手方向に沿って凹部を設け、
該凹部の上記先開きドア側の部分に、上記先開きドアの開閉に連動して回動され、上記先開きドアが開かれたとき上記凹部に収容されると共に上記先開きドアが閉じられたとき上記凹部から突出して上記先開きドアの下部に当接する先開きドア用封止部材を設け、
上記凹部の上記後開きドア側の部分に、上記後開きドアの開閉に連動して回動され、上記後開きドアが開かれたとき上記凹部に収容されると共に上記後開きドアが閉じられたとき上記凹部から突出して上記後開きドアの下部に当接する後開きドア用封止部材を、上記先開きドア用封止部材と隙間を隔てて設け、
該後開きドア用封止部材の上面に、上記隙間を超えて上記先開きドア用封止部材の上面まで延出されたカバーを取り付け、上記両封止部材が共に上記凹部から突出したとき上記カバーによって上記隙間を封止するようにしたことを特徴とする両開きドア装置。
【請求項２】
上枠、下枠及び左右の縦枠から成るドア枠と、一方の縦枠に開閉可能に取り付けられた先開きドアと、他方の縦枠に開閉可能に取り付けられた後開きドアとを備えた両開きドア装置であって、
上記下枠の上面に、その長手方向に沿って凹部を設け、
該凹部の上記先開きドア側の部分に、上記先開きドアの開閉に連動して回動され、上記先開きドアが開かれたとき上記凹部に収容されると共に上記先開きドアが閉じられたとき上記凹部から突出して上記先開きドアの下部に当接する先開きドア用封止部材を設け、
上記凹部の上記後開きドア側の部分に、上記後開きドアの開閉に連動して回動され、上記後開きドアが開かれたとき上記凹部に収容されると共に上記後開きドアが閉じられたとき上記凹部から突出して上記後開きドアの下部に当接する後開きドア用封止部材を、上記先開きドア用封止部材と隙間を隔てて設け、
該後開きドア用封止部材の端部に、上記隙間の方向に延出された庇部材を取り付け、上記先開きドア用封止部材の端部に、上記各封止部材の回動に伴って上記庇部材に下方から当接し得る当接部材を取り付け、上記両封止部材が共に上記凹部から突出したとき上記庇部材及び当接部材によって上記隙間を封止するようにしたことを特徴とする両開きドア装置。
【発明の詳細な説明】
【技術分野】
【０００１】
本発明は、ドア枠に先開きドアと後開きドアとを開閉可能に取り付けた両開きドア装置に係り、特に、各ドアが開かれたときのバリアフリー性と、各ドアの下部における止水性との両立を図った両開きドア装置に関する。
【背景技術】
【０００２】
両開きドア装置として、ドア枠の下部を成す下枠の上面を、バリアフリー性を向上させるために平坦としたものが知られている（例えば特許文献１）。
【０００３】
この両開きドア装置は、四角枠状のドア枠と、ドア枠の一方の縦枠に装着された主ドアと、ドア枠の他方の縦枠に装着された副ドアと、主ドアの下端に装着され、主ドアが閉じられたとき下方に突出して下枠の上面に圧接し、主ドアが開かれたとき引き上げられて下枠の上面から離間する主ドア用水密部材と、副ドアの下端に装着され、副ドアが閉じられたとき下方に突出して下枠の上面に圧接し、副ドアが開かれたとき引き上げられて下枠の上面から離間する副ドア用水密部材と、副ドアの下部の召合せ部に装着され、各ドアを閉じたとき主ドア用水密材と副ドア用水密材との間を塞ぐと共に下枠の上面に当接するように形成された召合せ水密部材とを備えている。
【０００４】
このドア装置によれば、主ドア及び副ドアが閉じられたとき、主ドア、副ドアの下端から主ドア用水密部材、副ドア用水密部材が夫々下方に突出して下枠の上面に当接し、副ドアの下部に装着された召合せ水密部材が主ドア用水密部材と副ドア用水密部材との間を塞ぐと共に下枠の上面に当接するので、各ドアの下端と下枠の上面との間における止水性が確保される。そして、主ドア及び／又は副ドアが開かれるとき、主ドア用水密部材及び／又は副ドア用水密部材が引き上げられて下枠の上面から離間するので、主ドア用水密部材、副ドア用水密部材が下枠の上面及びこの上面に繋がる床面と擦れることによる開ドア性の悪化を回避できる。
【０００５】
【特許文献１】特開平１０−８９９３８号公報
【発明の開示】
【発明が解決しようとする課題】
【０００６】
しかし乍ら、上記両開きドア装置においては、召合せ水密部材が副ドアの下部に固定的に装着されているので、副ドアを開くとき召合せ水密部材の下端が下枠の上面及びこの上面に繋がる床面に擦れてしまい、召合せ水密部材の耐久性及び副ドアの開ドア性が悪化する。この点、上記文献１には、副ドアは主ドアよりも開ドア頻度が低いためそれ程問題にならない旨の記載はあるが（段落００２４）、問題が生じることは事実であり、副ドアの開ドア頻度が高い場合には、問題となる。
【０００７】
そこで、本発明の目的は、各ドアの開ドア性を悪化させることなく、各ドアが開かれたときのバリアフリー性と、各ドアの下部における止水性との両立を図ることができる両開きドア装置を提供することにある。
【課題を解決するための手段】
【０００８】
上記目的を達成するために請求項１に係る発明は、上枠、下枠及び左右の縦枠から成るドア枠と、一方の縦枠に開閉可能に取り付けられた先開きドアと、他方の縦枠に開閉可能に取り付けられた後開きドアとを備えた両開きドア装置であって、上記下枠の上面に、その長手方向に沿って凹部を設け、該凹部の上記先開きドア側の部分に、上記先開きドアの開閉に連動して回動され、上記先開きドアが開かれたとき上記凹部に収容されると共に上記先開きドアが閉じられたとき上記凹部から突出して上記先開きドアの下部に当接する先開きドア用封止部材を設け、上記凹部の上記後開きドア側の部分に、上記後開きドアの開閉に連動して回動され、上記後開きドアが開かれたとき上記凹部に収容されると共に上記後開きドアが閉じられたとき上記凹部から突出して上記後開きドアの下部に当接する後開きドア用封止部材を、上記先開きドア用封止部材と隙間を隔てて設け、該後開きドア用封止部材の上面に、上記隙間を超えて上記先開きドア用封止部材の上面まで延出されたカバーを取り付け、上記両封止部材が共に上記凹部から突出したとき上記カバーによって上記隙間を封止するようにしたものである。
【０００９】
請求項２に係る発明は、上枠、下枠及び左右の縦枠から成るドア枠と、一方の縦枠に開閉可能に取り付けられた先開きドアと、他方の縦枠に開閉可能に取り付けられた後開きドアとを備えた両開きドア装置であって、上記下枠の上面に、その長手方向に沿って凹部を設け、該凹部の上記先開きドア側の部分に、上記先開きドアの開閉に連動して回動され、上記先開きドアが開かれたとき上記凹部に収容されると共に上記先開きドアが閉じられたとき上記凹部から突出して上記先開きドアの下部に当接する先開きドア用封止部材を設け、上記凹部の上記後開きドア側の部分に、上記後開きドアの開閉に連動して回動され、上記後開きドアが開かれたとき上記凹部に収容されると共に上記後開きドアが閉じられたとき上記凹部から突出して上記後開きドアの下部に当接する後開きドア用封止部材を、上記先開きドア用封止部材と隙間を隔てて設け、該後開きドア用封止部材の端部に、上記隙間の方向に延出された庇部材を取り付け、上記先開きドア用封止部材の端部に、上記各封止部材の回動に伴って上記庇部材に下方から当接し得る当接部材を取り付け、上記両封止部材が共に上記凹部から突出したとき上記庇部材及び当接部材によって上記隙間を封止するようにしたものである。
【発明の効果】
【００１０】
本発明によれば次のような効果を発揮できる。
【００１１】
（１）請求項１に係る発明によれば、各ドアの開閉順序に着目して、後開きドア用封止部材の上面に先開きドア用封止部材の上面まで延出されたカバーを取り付けたので、各ドアの開ドア性を悪化させることなく、各ドアが開かれたときのバリアフリー性と、各ドアが閉じられたときの各ドアの下部における止水性との両立を図ることができる。
【００１２】
（２）請求項２に係る発明によれば、各ドアの開閉順序に着目して、後開きドア用封止部材の端部に庇部材を取り付け、先開きドア用封止部材の端部に上記庇部材に下方から当接し得る当接部材を取り付けたので、各ドアの開ドア性を悪化させることなく、各ドアが開かれたときのバリアフリー性と、各ドアが閉じられたときの各ドアの下部における止水性との両立を図ることができる。
【発明を実施するための最良の形態】
【００１３】
本発明の好適実施形態を添付図面を用いて説明する。
【００１４】
図１に示すように、本実施形態に係る両開きドア装置１は、上枠２ａ、下枠２ｂ及び左右の縦枠２ｃ、２ｄから矩形に組み立てられたドア枠２と、一方の縦枠２ｃに開閉可能に取り付けられた先開きドア３と、他方の縦枠２ｄに開閉可能に取り付けられた後開きドア３０とを備えている。この両開きドア装置１は、先開きドア３が後開きドア３０より先に開かれ、両ドア３、３０が開かれた後には、後開きドア３０が閉じられた後に先開きドア３が閉じられるものである。この点、上枠２ａの内部に、上述した順に各ドア３、３０の開閉が行われない場合には、各ドア３、３０の回動をロックする順位調整機（図示せず）を装着してもよい。図例では、先開きドア３のみに開閉ハンドル４を設けて、先開きドア３が後開きドア３０に先立って開ドア操作されるようにしている。
【００１５】
先開きドア３は、上框５ａ、下框５ｂ、吊元框５ｃ及び召合せ框５ｄから矩形に組み立てられた框体５と、框体５の内部に嵌め込まれたパネル６とから成り、図２に示すように、吊元框５ｃがヒンジ７を介して一方の縦枠２ｃに取り付けられ、室外側へ開かれるようになっている。同様に、後開きドア３０は、上框５０ａ、下框５０ｂ、吊元框５０ｃ及び召合せ框５０ｄから矩形に組み立てられた框体５０と、框体５０の内部に嵌め込まれたパネル６０とから成り、吊元框５０ｃがヒンジ７０を介して他方の縦枠２ｄに取り付けられ、室外側へ開かれるようになっている。なお、各ドア３、３０は、上記構成に限られず例えばフラッシュドアであってもよい。また、左右の縦枠２ｃ、２ｄには、各ドア３、３０が閉じられたとき吊元框５ｃ、５０ｃに当接する縦戸当たり部材８、８が、鉛直方向に沿って夫々設けられている。
【００１６】
図３に示すように、上枠２ａには、各ドア３、３０が閉じられたとき上框５ａ、５０ａに当接する横戸当たり部材９が、水平方向に沿って設けられている。また、ドア枠２は、下枠２ｂの上面１０が室外側床面１１と室内側床面１２とに対して面一となるように、設置される。下枠２ｂの上面１０には、その長手方向（水平方向）に沿って凹部１３が設けられている。凹部１３は、各ドア３、３０が閉じられたときドア３、３０の下框５ｂ、５０ｂの室内側縁部の下方に位置させて、閉じられたドア３、３０の幅方向に沿って断面略矩形の溝状に形成されている。凹部１３は、図１０に示すように、先開きドア３に対応する先開きドア側凹部分１３ａと、後開きドア３０に対応する後開きドア側凹部分１３ｂとが連続されて形成されている。
【００１７】
図３に戻って、下枠２ｂの上面１０は、凹部１３を除き略平坦に形成されている。詳しくは、上面１０には、凹部１３よりも室外側に位置させて凹部１３と平行に溝部１４が形成されているものの、溝部１４には、樹脂やゴム等からなる滑り止め部材１５が係合されており、この部分が略平坦となっている。また、図４（ａ）に示すように、下枠２ｂの上面１０には、凹部１３の室内側に隣接させて凹部１３と平行に窪み部１５が形成されているものの、窪み部１５には、ゴムや樹脂等の可撓性材料からなるシール部材１６が、後述する先開きドア用封止部材２０及び後開きドア用封止部材２１と共同して窪み部１５の開口を覆うように装着されており、この部分が略平坦となっている。
【００１８】
凹部１３と窪み部１５とは、下枠２ｂの長手方向に沿って形成された隔壁１７によって仕切られている。隔壁１７の上端には、先開きドア用封止部材２０及び後開きドア用封止部材２１を回動可能に係合するための支軸部１８が、隔壁１７の長手方向に沿って形成されている。支軸部１８には、先開きドア用封止部材２０及び後開きドア用封止部材２１の回動角度を制限するためのストッパ１９が、支軸部１８の長手方向に沿って形成されている。支軸部１８の先開きドア３側の部分には、図４（ｂ）及び図９に示すように、先開きドア用封止部材２０が回動可能に係合され、支軸部１８の後開きドア３０側の部分には、後開きドア用封止部材２１が回動可能に係合されている。
【００１９】
図９〜図１２に示すように、先開きドア用封止部材２０は、凹部１３の先開きドア側凹部分１３ａ（先開きドア側の部分）に配置されるものであり、先開きドア３の開閉に連動して回動され、先開きドア３が開かれたとき上記部分１３ａを塞ぐと共に先開きドア３が閉じられたとき上記部分１３ａから突出して先開きドア３の下部に当接する。後開きドア用封止部材２１は、凹部１３の後開きドア側凹部分１３ｂ（後開きドア側の部分）に配置されるものであり、後開きドア３０の開閉に連動して回動され、後開きドア３０が開かれたとき上記部分１３ｂを塞ぐと共に後開きドア３０が閉じられたとき上記部分１３ｂから突出して後開きドア３０の下部に当接する。
【００２０】
各封止部材２０、２１を各ドア３、３０の開閉に連動させて回動させる連動機構は、例えば特開２００２−１７４４６８号公報に記載された連動機構等が用いられる。具体的には、上記連動機構は、下枠２ｂの先開きドア３側の端部に回動可能に支持され、先開きドア３を閉じたときそのドア３の吊元側によって押し動かされる一端と、その作用で先開きドア用封止部材２０を押し上げる他端とを有する先開きドア用連動部材と、下枠２ｂの後開きドア３０側の端部に回動可能に支持され、後開きドア３０を閉じたときそのドア３０の吊元側によって押し動かされる一端と、その作用で後開きドア用封止部材２１を押し上げる他端とを有する後開きドア用連動部材とから成る。
【００２１】
詳しくは、上記連動機構の先開きドア用連動部材は、図５〜図８に示すように正面Ｌ型の連動部材８０からなっている。連動部材８０は、剛性を有するよう金属板を曲げ加工して形成されている。この連動部材８０は、図６に示すように、下枠２ｂに回動可能に軸支され、扉閉鎖時に先開きドア３の吊元側により押動かされる一端である垂直部８０ａと、その作用で先開きドア用封止部材２０を押上げる他端である水平部８０ｂとを有している。具体的には一側が長い平面略コ字状の金属製支持枠８１に連動部材８０の基部がネジからなる支軸８２を介して垂直回動可能に軸支され、支持枠８１は隔壁１７にネジ８３で固定されている。
【００２２】
連動部材８０の水平部８０ｂが下枠２ｂの長手方向に沿って配置され、垂直部８０ａが吊元側の縦枠２ｃ近傍に配置され、水平部８０ｂと垂直部８０ａの交差部が支軸８２により垂直回動可能に支持されている。垂直部８０ｂは下枠２ｂの上面１０よりも上方に突出している（図７）。水平部８０ｂは、縦枠２ｃと下枠２ｂとで構成されるコーナー部に取り付けられた吊元側端部封止部材８４（図５、図６（ｂ））よりも長く形成され、水平部８０ｂの先端が先開きドア用封止部材２０の吊元側端部の下方に位置されている。吊元側端部封止部材８４には、図５（ａ）、図５（ｂ）に示すように、先開きドア３が閉じられたときその下框５ｂが押し付けられる気密材８４ａが装着されていると共に、先開きドア用封止部材２０が封止位置に起立したときその上端に当接する気密材８４ｂが装着されている。
【００２３】
先開きドア３の扉開放時には、連動部材８０の水平部８０ｂは自重で水平の待機位置に下がり（図７）、先開きドア用封止部材２０も自重で退避位置に下がり、下枠２ｂの上面１０が平坦のバリアフリーになることから人の歩行や車椅子の通行が容易になる。先開きドア３の扉閉鎖時には、連動部材８０を介して先開きドア用封止部材２０が突出位置に押上げられ（図８）、この突出位置の封止部材２０に閉鎖時のドア３が当接することにより止水され（図５（ａ）、図５（ｂ））、下枠２ｂの上面１０が平坦面であるが故に室外側から室内側に流入ないし浸入しやすい雨水等の水の流入ないし浸入を防止することが可能となる。
【００２４】
図６に示すように、先開きドア３の吊元側には、ドア３の閉鎖時に連動部材８０の垂直部８０ａに当接する当接板（連動部材の受け部）８５が設けられている。突出状態の先開きドア用封止部材２０を誤って踏みつけたときに連動部材８０に加わる外力を吸収するために、本実施例では、図７、図８に示すように、この当接板８５に吸収部材であるバネ（コイルバネ）８６が設けられている。また、前記当接板８５は、ネジ８７によって調整可能に設けられている。実施例では、ドア３の吊元側縦框５ｃの前記垂直部８０ａと対応する下端部には切欠部８８が設けられ、この切欠部８８に当接板８５が位置するように吊元側縦框５ｃにはブラケット８９を介して一対のネジ８７が螺着され、両ネジ８７に跨って当接板８５がネジ８７の軸方向に移動可能に取付けられている。
【００２５】
各ネジ８７にはブラケット８９と当接板８５間にバネ８６が取付けられ、バネ８６により当接板８５がネジ８７の頭部８７ａに当接する方向に付勢されている。当接板８５の両ネジ８７間の略中央部（扉の厚さの略中間部に位置している）に連動部材８０の垂直部８０ａが当接するようになっている。水平部８０ｂが閉鎖位置のドア３よりも室内側に位置されているのに対し、垂直部８０ａが同ドア３の厚さの略中間部に位置されており、垂直部８０ａと水平部８０ｂは室内外方向に位置をずらして形成されている。ネジ８７により当接板８５の位置を調整して封止部材２０の動作タイミングを調整できるようになっている。
【００２６】
先開きドア３の扉開放時には、連動部材８０は水平部８０ｂが自重で水平の待機位置に下がった非作動状態となり（図７）、ドア３を閉める際にドア３の開度が所定角度例えば３０°程度で扉吊元側の当接板８５が連動部材８０の垂直部８０ａに接し、開度３０°程度から１５°程度にかけて当接板８５により垂直部８０ａが押動かされ、連動部材８０は水平部８０ｂが所定角度（θ）上方に回動して作動状態となり（図８）、封止部材２０が突出位置に押上げられる。
【００２７】
この時、まだバネ８６は圧縮されておらず、この状態で封止部材２０を踏みつけると連動部材８０及び当接板８５を介してバネ８６が圧縮され、連動部材８０に加わる外力が吸収されることになる。そして、ドア３が更に開度１５°程度から０°に閉じる時に、既に連動部材８０が作動状態にありそれ以上垂直部８０ａが動かないため、反力で当接板８５がバネ８６の付勢力に抗して所定量押動かされる。すなわち、ドア３の閉鎖時の最終段階の動きがバネ８６の圧縮で許容ないし吸収される。
【００２８】
以上、図５〜図８を用いて前記連動機構の先開きドア用連動部材８０について説明してきたが、前記連動機構の後開きドア用連動部材についても同様の構成となっているのでその説明は省略する。
【００２９】
図９に示すように、先開きドア用封止部材２０は、上面板部２２と下面板部２３と自由端側部２４と基端側部２５とから断面略台形の中空形状に形成された本体と、下面板部２３からそれと略直交方向に延出されると共に封止部材２０の長手方向に沿って形成された支持リブ２７とを有し、押し出し加工等によって製造される。基端側部２５には、前記隔壁１７の支軸部１８に係合される係合部２８が、封止部材２０の長手方向に沿って形成されている。係合部２８には、図４（ａ）に示すように、支軸部１８のストッパ１９と共同して先開きドア用封止部材２０の回動範囲を制限するためのストッパ溝２９が、封止部材２０の長手方向に沿って形成されている。
【００３０】
ストッパ溝２９及びストッパ１９により、先開きドア用封止部材２０が図１１及び図１２に示すように図中反時計回りに回動されたとき、その上面板部２２の上面が下枠２ｂの上面１０と略面一となる回動角度に制限され、封止部材２０が格納位置となり、また、先開きドア用封止部材２０が図９及び図１０に示すように図中時計回りに回動されたとき、その自由端側部２４が閉じられた先開きドア３の下部（下框５ｂの室内側面）に当接する回動角度に制限され（図３参照）、封止部材２０が封止位置となる。また、封止部材２０が図１１及び図１２に示す格納位置となったとき、支持リブ２７の先端が凹部１３の底面に当接するようになっている。この支持リブ２７により、車椅子等が通過する際に封止部材２０に上方から加わる荷重が支持される。
【００３１】
図９に示すように、先開きドア用封止部材２０の自由端側部２４には、ゴムや樹脂等の弾性体から封止部材２０の長手方向に沿って形成されたシール部材３１が装着されている。シール部材３１は、図３に仮想線で示すように自然状態でＶ字断面に形成されており、先開きドア用封止部材２０が図３に実線で示すように封止位置に立てられたとき、先開きドア３の下框５ｂの室内側面が圧接されることで折り畳まれるように弾性変形する。
【００３２】
図４（ａ）及び図９に示すように、先開きドア用封止部材２０の係合部２８と下枠２ｂの室内側端部３２との間には、前記窪み部１５が形成され、この窪み部１５は、前記シール部材１６によって覆われている。シール部材１６は、ゴムや樹脂等の可撓性材料から成り、下枠２ｂの室内側端部３２に装着される装着部３３と、先開きドア用封止部材２０の係合部２８の上面に接触する上部ヒレ部３４と、隔壁１７に接触する下部ヒレ部３５とから成る。装着部３３、上部ヒレ部３４及び下部ヒレ部３５は、シール部材１６の長手方向に沿って形成されている。
【００３３】
以上、先開きドア用封止部材２０について説明してきたが、後開きドア用封止部材２１についても全く同様な構成であるので、対応する同一の部品には同一の符号を付加して説明を省略する。
【００３４】
図４（ｂ）、図１０に示すように、先開きドア用封止部材２０の召合せ側の端部３６は、先開きドア３の召合せ部３７よりも先開きドア３の吊元側に位置されており、後開きドア用封止部材２１の召合せ側の端部３８は、後開きドア３０の召合せ部３９を超えて先開きドア３の吊元側に位置されている。これは、両ドア３、３０が閉じられた状態から先開きドア３のみが開かれたとき、封止位置に起こされている先開きドア用封止部材２０が、ドア閉じ状態にある後開きドア３０と干渉することなく、格納位置に倒れることを許容するためである。なお、このように両ドア３、３０の召合せ部４５と両封止部材２０、２１の隙間Ｇとを水平方向にずらすことで、気密性が向上することにもなる。
【００３５】
また、先開きドア用封止部材２０と後開きドア用封止部材２１との間には、いずれか一方の封止部材２０又は２１が回動されたとき他方の封止部材２１又は２０が引きずられて回動しないようにするため、所定の隙間Ｇ（２ｍｍ程度）が設定されている。
【００３６】
図４（ａ）、図４（ｂ）及び図９に示すように、後開きドア用封止部材２１の端部の上面には、隙間Ｇを超えて先開きドア用封止部材２０の端部の上面まで延出されたカバー４１がビス４２（ネジ）によって取り付けられている。カバー４１は、長方形の板状に形成され後開きドア用封止部材２１の上面板部２２から先開きドア用封止部材２０の上面板部２２まで延出されたシール板４３と、シール板４３の上面に積層され後開きドア用封止部材２１の上面板部２２から先開きドア用封止部材２０の上面板部２２まで延出されたフレーム板４４とから成る。フレーム板４４とシール板４３とは接着されてもよい。
【００３７】
シール板４３は、いずれか一方の封止部材２０、２１の回動に伴って先開きドア用封止部材２０の上面板部２２の上面に当接したときのシール性を高めるため、ゴムや軟質樹脂等の可撓性を有する軟質材から成っている。フレーム板４４は、シール板４３が前記当接時に折れ曲がることを防止するため、シール板４３よりも硬い金属や硬質樹脂等の硬質材から成っている。シール板４３の縦方向（長手方向と直交する方向）の寸法は、図４（ａ）、図９に示すように、封止部材２０、２１の上端を超えると共にシール部材１６の上部ヒレ部３４の端部を上方から覆う寸法に設定されている。フレーム板４４は、略長方形の板体をへ字状に折り曲げた形状となっており、その上端がシール板４３の上端に至らない位置とされている。ドア３、３０がフレーム板４４に当たって傷つくことを防止するためである。
【００３８】
図４（ｂ）に示すように、先開きドア３と後開きドア３０との召合せ部４５は、後開きドア３０に装着された縦シール４６によって封止される。縦シール４６は、鉛直方向に沿って形成され、後開きドア３０の召合せ框５０ｄの室内側の端部に装着されている。また、縦シール４６は、両ドア３、３０が閉じられたとき両ドア３、３０の室内側面４７と略面一となるように形成されている。これにより、両ドア３、３０が閉じられて、両ドア３、３０の下框５ｂ、５０ｂの室内側面及びその部分の縦シール４６が、カバー４１の端部に押し付けられたとき、シール板４３の端部が均等に変形することになり、シール性が高まる。
【００３９】
本実施形態の作用を述べる。
【００４０】
図９は、先開きドア３及び後開きドア３０が共に閉じられたときの先開きドア用封止部材２０及び後開きドア用封止部材２１を示す斜視図である。両ドア３、３０が閉じられるとき、各ドア３、３０の閉じ動作に連動して、各封止部材２０、２１が夫々封止位置（同じ回動角度）に立ち上がる。よって、図３及び図４（ａ）に示すように、両ドア３、３０の下部（下框５ｂ、５０ｂ）の室内側面が、封止部材２０、２１のシール部材３１及びカバー４１のシール板４３の端部に押し付けられ、両ドア３、３０の下部と下枠２ｂとの間が水密・気密に封止される。同時に、図４（ｂ）及び図１０に示すように、先開きドア用封止部材２０の端部の上面がカバー４１のシール板４３の下面に当接されるので、各封止部材２０、２１同士の隙間Ｇが、水密・気密に封止される。
【００４１】
その状態から先開きドア３のみが開かれると、先開きドア３の開き動作に連動して、図１１及び図１２に示すように、先開きドア用封止部材２０のみが格納位置に倒れ、凹部１３の先開きドア側の部分１３ａを下枠２ｂの上面１０と面一に覆う。これにより、先開きドア３を開いたときのバリアフリー性が確保される。ここで、カバー４１は、先開きドア用封止部材２０の上方に配置されているので、先開きドア用封止部材２０が倒れることの妨げとならない。
【００４２】
先開きドア３が開かれた状態で後開きドア３０も開かれると、後開きドア３０の開き動作に連動して、後開きドア用封止部材２１も格納位置に倒れ、凹部１３の後開きドア側の部分１３ｂを下枠２ｂの上面１０と面一に覆う（図示せず）。これにより、両ドア３、３０を開いたときのバリアフリー性が確保される。
【００４３】
両ドア３、３０が開かれた状態から後開きドア３０のみが閉じられると、後開きドア３０の閉じ動作に連動して、図１１及び図１２に示すように、後開きドア用封止部材２１のみが封止位置に立ち上がる。よって、後開きドア３０の下部（下框５０ｄ）の室内側面が、後開きドア用封止部材２１のシール部材３１及びカバー４１のシール板４３の端部に押し付けられ、後開きドア３０の下部と下枠２ｂとの間が水密・気密に封止される。
【００４４】
その後、後開きドア３０が閉じられた状態で先開きドア３も閉じられると、先開きドア３の閉じ動作に連動して、図９及び図１０に示すように、先開きドア用封止部材２０も封止位置に立ち上がる。よって、先開きドア３の下部（下框５ｂ）の室内側面が、先開きドア用封止部材２０のシール部材３１及びカバー４１のシール板４３の端部に押し付けられ、先開きドア３の下部と封止部材２０との間が水密・気密に封止される。同時に、先開きドア用封止部材２０の端部の上面がカバー４１のシール板４３の下面に当接されるので、各封止部材２０、２１同士の隙間Ｇが、水密・気密に封止される。
【００４５】
なお、先開きドア用封止部材２０の格納位置から封止位置までの回動角度を後開きドア用封止部材２１の同回動角度より僅かに大きく設定しておけば、両封止部材２０、２１が共に封止位置に立ち上がったとき、先開きドア用封止部材２０の端部の上面が後開きドア用封止部材２１の端部の上面に装着したカバー４１のシール板４３の下面に押し付けられるため、シール性が高まることになる。このとき、両封止部材２０、２１は長手方向の軸廻りに僅かに弾性的に捩れることになるため、カバー４１が損傷することはない。
【００４６】
この両開きドア装置１によれば、各ドア３、３０の開閉順序に着目して、後開きドア用封止部材２１の上面に先開きドア用封止部材２０の上面まで延出されたカバー４１を取り付けたので、各ドア３、３０の開ドア性を悪化させることなく、各ドア３、３０が開かれたときのバリアフリー性の向上と、各ドア３、３０が閉じられたときの各ドア３、３０の下部における止水性の向上との両立を図ることができる。
【００４７】
別の実施形態を図１３〜図１８に示す。
【００４８】
この実施形態に係る両開きドア装置は、基本的には前実施形態に係る両開きドア装置１と同様の構成となっているため、同一の部品には同一の符号を付して説明を省略し、相違点のみを説明する。
【００４９】
相違点は、先開きドア用封止部材２０と後開きドア用封止部材２１との隙間Ｇｘを上記実施形態の隙間Ｇよりも広く設定し、後開きドア用封止部材２１の端部に、隙間Ｇｘの方向に延出された庇部材５１を取り付け、先開きドア用封止部材２０の端部に、各封止部材２０、２１の回動に伴って庇部材５１に下方から当接し得る当接部材５２を取り付けた点にある。
【００５０】
詳しくは、庇部材５１は、図１７に示すように、後開きドア用封止部材２１の端部の中空部５３に挿入固定される挿入部５４と、後開きドア用封止部材２１の上面板部２２の上面と略面一に配置された第１庇部５５と、その内方に配置された第２庇部５６とを有する。当接部材５２は、図１４及び図１８に示すように、先開きドア用封止部材２０の端部の中空部５７に挿入固定される挿入部５８と、第１庇部５５に下方から当接し得る第１当接部５９と、第２庇部５６に下方から当接し得る第２当接部６１とを有する。これら庇部材５１及び当接部材５２は、有る程度の弾性・可撓性を有するゴムや樹脂等から成っている。
【００５１】
本実施形態においても、基本的には前実施形態と同様の作用効果を奏する。更に、本実施形態では、庇部材５１の上面が各封止部材２０、２１の上面板部２２の上面と略面一となるため、両封止部材２０、２１が共に格納位置に倒れたときのバリアフリー性が前実施形態よりも向上する。また、本実施形態では、図１４に示すように両封止部材２０、２１が封止位置に立ち上がったとき、両封止部材２０、２１の間の隙間Ｇｘを、第１庇部５５と第１当接部５９とで封止すると共に第２庇部５６と第２当接部６１とで封止し、二重に封止するため、シール性能が前実施形態よりも向上する。
【００５２】
本発明は上記実施形態に限定されるものではない。
【００５３】
例えば、上記各実施形態に係る両開きドア装置１は、図１に示すように先開きドア３の大きさと後開きドア３０の大きさとが略等しいものであったが、先開きドア３が後開きドア３０よりも大きな所謂親子ドア装置に本発明を適用してもよい。また、上記各実施形態に係る両開きドア装置１は、室内と室外とを仕切るものであったが、室内に設置されて部屋と部屋とを仕切るものでも構わない。
【図面の簡単な説明】
【００５４】
【図１】本発明の好適実施形態を示す両開きドア装置の正面図である。
【図２】図１のII−II線断面図である。
【図３】図１のIII−III線断面図である。
【図４】（ａ）は図３の要部拡大図であり、（ｂ）は図２の要部拡大図である。
【図５】吊元側封止部材の取付状態を示す図であり、（ａ）は室内側から見た斜視図、（ｂ）は室外側から見た斜視図である。
【図６】連動機構を示す図であり、（ａ）はドア開放時の平面図、（ｂ）は同時の室内側から見た正面図である。
【図７】図６（ａ）のＡ−Ａ線断面図である。
【図８】ドア閉鎖時の連動機構の動作を示す室内側正面図である。
【図９】先開きドア及び後開きドアが共に閉じられたときの先開きドア用封止部材及び後開きドア用封止部材を示す斜視図である。
【図１０】図５を反対側から見た斜視図である。
【図１１】先開きドアのみが開かれたときの先開きドア用封止部材及び後開きドア用封止部材を示す斜視図である。
【図１２】図７を反対側から見た斜視図である。
【図１３】別の実施形態を示す説明図であり、先開きドア及び後開きドアが共に閉じられたときの先開きドア用封止部材及び後開きドア用封止部材を示す斜視図である。
【図１４】図９を反対側から見た斜視図である。
【図１５】別の実施形態にて、先開きドアのみが開かれたときの先開きドア用封止部材及び後開きドア用封止部材を示す斜視図である。
【図１６】図１１を反対側から見た斜視図である。
【図１７】別の実施形態における後開きドア用封止部材及びそれに取り付けられる庇部材の斜視図である。
【図１８】別の実施形態における先開きドア用封止部材及びそれに取り付けられる当接部材の斜視図である。
【符号の説明】
【００５５】
１  両開きドア装置
２  ドア枠
２ａ  上枠
２ｂ  下枠
２ｃ  縦枠
２ｄ  縦枠
３  先開きドア
１３  凹部
１３ａ  凹部の先開きドア側の部分
１３ｂ  凹部の後開きドア側の部分
２０  先開きドア用封止部材
２１  後開きドア用封止部材
３０  後開きドア
４１  カバー
４３  シール板
４４  フレーム板
５１  庇部材
５２  当接部材
Ｇ  隙間
Ｇｘ  隙間
【図１】
2007162429.tif 000003
【図２】
2007162429.tif 000004
【図３】
2007162429.tif 000005
【図４】
2007162429.tif 000006
【図５】
2007162429.tif 000007
【図６】
2007162429.tif 000008
【図７】
2007162429.tif 000009
【図８】
2007162429.tif 000010
【図９】
2007162429.tif 000011
【図１０】
2007162429.tif 000012
【図１１】
2007162429.tif 000013
【図１２】
2007162429.tif 000014
【図１３】
2007162429.tif 000015
【図１４】
2007162429.tif 000016
【図１５】
2007162429.tif 000017
【図１６】
2007162429.tif 000018
【図１７】
2007162429.tif 000019
【図１８】
2007162429.tif 000020